(57)【特許請求の範囲】
【請求項１】
農業用ハウスに使用される長尺の農業用フィルムの表と裏を交互に積層状にして折り畳む折り畳み機によって折り畳まれたフィルムを搬送する折り畳まれたフィルムの搬送方法において、
所定間隔を置いて一方の端部で支持され、他方の端部が開放されるように配置された複数の支持部材から構成された支持台上に載置された、上記折り畳まれたフィルムを、上記複数の支持部材間に配置された複数のローラーからなるローラーコンベアの上部が上記支持部材の上に出るように持ち上げ、
次に、上記ローラーコンベアを上記他方の端部から水平方向に移動した後、折り畳まれたフィルムが巻取装置に向けて搬送され、
その後、上記ローラーコンベアが降下した後、前記と反対方向に水平移動して、上記複数の支持部材の上記他方の端部から支持台の下に組み込まれることを特徴とする折り畳まれたフィルムの搬送方法。
【請求項２】
農業用ハウスに使用される長尺の農業用フィルムの表と裏を交互に積層状にして折り畳む折り畳み機によって折り畳まれたフィルムを搬送する折り畳まれたフィルムの搬送方法において、
所定間隔を置いて一方の端部で支持され、他方の端部が開放されるように配置された複数の支持部材から構成された支持台が降下することにより、上記折り畳まれたフィルムを、上記複数の支持部材間に配置された複数のローラーからなるローラーコンベアの上部が上記支持部材の上に出るようにし、
次に、上記ローラーコンベアを上記他方の端部から水平方向に移動した後、折り畳まれたフィルムが巻取装置に向けて搬送され、
その後、上記複数の支持部材から構成された支持台が上昇した後、上記ローラーコンベアが前記と反対方向に水平移動して、上記複数の支持部材の上記他方の端部から支持台の下に組み込まれることを特徴とする折り畳まれたフィルムの搬送方法。
【請求項３】
上記ローラーコンベアを水平方向に移動した後、固定された次のローラーコンベアを介して、折り畳まれたフィルムを巻き取る巻取装置に搬送することを特徴とする請求項１または請求項２記載の折り畳まれたフィルムの搬送方法。
【請求項４】
農業用ハウスに使用される長尺の農業用フィルムの表と裏を交互に積層状にして折り畳まれたフィルムを搬送する装置において、
所定間隔を置いて一方の端部で支持され、他方の端部が開放されるように配置された複数の支持部材から構成される支持台と、
上記支持台の支持部材間に複数のローラーが互いに連結されて配置されていると共に、上記ローラーの上部に上記折り畳まれたフィルムを載置し、上下および左右方向に移動できる移動機構を備えているローラーコンベアと、
から構成されることを特徴とする折り畳まれたフィルムの搬送装置。
【請求項５】
農業用ハウスに使用される長尺の農業用フィルムの表と裏を交互に積層状にして折り畳まれたフィルムを搬送する装置において、
所定間隔を置いて一方の端部で支持され、他方の端部が開放されるように配置された複数の支持部材から構成されると共に、上下方向に移動できる移動機構を備えている支持台と、
上記支持台の支持部材間に複数のローラーが互いに連結されて配置されていると共に、上記ローラーの上部に上記折り畳まれたフィルムを載置し、左右方向に移動できる移動機構を備えているローラーコンベアと、
から構成されることを特徴とする折り畳まれたフィルムの搬送装置。
【請求項６】
所定間隔を置いて一方の端部で支持され、他方の端部が開放されるように配置された複数の支持部材は、断面がＴ字または逆Ｔ字状であることを特徴とする請求項４または請求項５記載の折り畳まれたフィルムの搬送装置。
【発明の詳細な説明】
【０００１】
【発明の属する技術分野】
本発明は、農業用ハウスに使用される長尺の農業用フィルム、たとえば、農業用ポリ塩化ビニルフィルム、農業用ポリオレフィン系フィルム、またはシート部材の表と裏を交互にして積層状態に折り畳んだ後に、たとえば、巻取装置等に搬送する折り畳まれたフィルムの搬送方法、および折り畳まれたフィルムの搬送装置に関するものである。
特に、本発明は、上記農業用フィルムまたはシートを所定の幅に溶着する溶着装置、および折り畳み装置の連続使用が可能な折り畳まれたフィルムの搬送方法、および折り畳まれたフィルムの搬送装置に関するものである。
なお、本明細書において記載されている「フィルム」なる用語は、一般に使用されている「シートまたはシート状のもの」も含まれる。
【０００２】
【従来の技術】
図５は農業用ハウスの外形を説明するための概略図である。
図５において、農業用ハウス７１は、図示されていない骨組が設けられた後、カマボコ形に農業用フィルムまたはシート７２によって覆われる。そして、農業用ハウス７１の大きさは、一般に、周方向の長さが４．５ｍないし１０ｍ、長さ方向の長さが２０ｍないし１００ｍのものがあり、その地方あるいは農作物の種類等によって多少異なっている。
農業用ハウス７１に使用される農業用フィルムまたはシート７２は、公知の手段によって所定の厚みと幅に成形される。
【０００３】
その後、農業用フィルム７２は、心棒に巻回されて長さが１００ｍないし５００ｍのロールになる。
農業用ハウス７１は、上記ロールとして販売される農業用フィルム７２を長さ方向に溶着して所定の円周方向の幅を得ている。たとえば、円周方向の長さが１０ｍで長さ方向の長さが１００ｍの農業用ハウスに使用される農業用フィルム７２は、農業用ポリオレフィン系フィルムの場合、幅１０ｍのものがあるが、農業用ポリ塩化ビニルフィルムは、４ｍ位であるため、複数枚の農業用フィルム７２を長さ方向に溶着し、１００ｍ毎に切断される。そして、上記１０ｍの幅の農業用フィルム７２は、溶着機によって溶着されると同時に、折り畳み装置によって折り畳まれる。すなわち、農業用ハウス７１に使用される農業ハウス用フィルム７２は、予め使用される農業用ハウス７１の寸法に合わせて溶着および切断されている。
【０００４】
農業用フィルム７２の折り畳み装置は、溶着され広幅となった農業ハウス用フィルムの長さ方向を、たとえば、約０．５ｍないし１ｍ幅で左右に、振り分けることによって、農業用フィルム７２の表と裏が交互に上部に来るように積層状態に折り畳まれる。
たとえば、特開平５−２９４５５２号公報に記載されているフィルム折畳装置は、折込手段と折込ロールとによって経文折りにしている。
また、特開平６−１９９４７０号公報に記載されたビニールシート包装機は、綾振り機構によって上記ビニールシートを綾振り状に折り畳んでいる。
さらに、実開平４−４９１６２号公報に記載されているフィルム空気抜きローラー装置は、折り畳まれたフィルムが上下一対の空気抜きローラー間を通過した後、折り畳むようにしている。
【０００５】
【発明が解決しようとする課題】
以上のように、農業用ハウスに使用されるフィルムは、長さ方向に溶着されながら表と裏が交互に上部に来るように積層状態に折り畳まれ、その折り畳まれた形状が、たとえば、幅０．５ないし１ｍ、長さ４．５ｍないし１０ｍとなる。
上記折り畳まれたフィルムは、その長さ方向に搬送しようとする、既製のローラーコンベアが連続して使用できるが、長さ方向の最後が取り除かれるまで、折り畳み装置の稼働を停止しておく必要があった。
【０００６】
また、上記折り畳まれたフィルムをその幅方向に搬送するためには、長さが長すぎるため、人力によって移動した後、別の搬送装置によって長さ方向に搬送していた。
いずれの場合も、折り畳まれたフィルムを次の工程に移動させるためには、時間がかかるため、折り畳み装置の稼働を一旦停止する必要があった。
【０００７】
以上のような課題を解決するために、本発明は、折り畳み装置を連続して稼働できる、折り畳まれたフィルムの搬送方法、および折り畳まれたフィルムの搬送装置を提供することを目的とする。
【０００８】
【課題を解決するための手段】
（第１発明）
第１発明の折り畳まれたフィルムの搬送方法は、農業用ハウスに使用される長尺の農業用フィルムの表と裏を交互に積層状にして折り畳む折り畳み機によって折り畳まれたフィルムを搬送するものであり、所定間隔を置いて一方の端部で支持され、他方の端部が開放されるように配置された複数の支持部材から構成された支持台上に載置された、上記折り畳まれたフィルムを、上記複数の支持部材間に配置された複数のローラーからなるローラーコンベアの上部が上記支持部材の上に出るように持ち上げ、次に、上記ローラーコンベアを上記他方の端部から水平方向に移動した後、折り畳まれたフィルムが巻取装置に向けて搬送され、その後、上記ローラーコンベアが降下した後、前記と反対方向に水平移動して、上記複数の支持部材の上記他方の端部から支持台の下に組み込まれることを特徴とする。
【０００９】
（第２発明）
第２発明の折り畳まれたフィルムの搬送方法は、農業用ハウスに使用される長尺の農業用フィルムの表と裏を交互に積層状にして折り畳む折り畳み機によって折り畳まれたフィルムを搬送するものであり、所定間隔を置いて一方の端部で支持され、他方の端部が開放されるように配置された複数の支持部材から構成された支持台が降下することにより、上記折り畳まれたフィルムを、上記複数の支持部材間に配置された複数のローラーからなるローラーコンベアの上部が上記支持部材の上に出るようにし、次に、上記ローラーコンベアを上記他方の端部から水平方向に移動した後、折り畳まれたフィルムが巻取装置に向けて搬送され、その後、上記複数の支持部材から構成された支持台が上昇した後、上記ローラーコンベアが前記と反対方向に水平移動して、上記複数の支持部材の上記他方の端部から支持台の下に組み込まれることを特徴とする。
【００１０】
（第３発明）
第３発明の折り畳まれたフィルムの搬送方法は、第１発明または第２発明のローラーコンベアを水平方向に移動した後、固定された次のローラーコンベアを介して、折り畳まれたフィルムを巻き取る巻取装置に搬送することを特徴とする。
【００１１】
（第４発明）
第４発明の折り畳まれたフィルムの搬送装置は、農業用ハウスに使用される長尺の農業用フィルムの表と裏を交互に積層状にして折り畳まれたフィルムを搬送するものであり、所定間隔を置いて一方の端部で支持され、他方の端部が開放されるように配置された複数の支持部材から構成される支持台と、上記支持台の支持部材間に複数のローラーが互いに連結されて配置されていると共に、上記ローラーの上部に上記折り畳まれたフィルムを載置し、上下および左右方向に移動できる移動機構を備えているローラーコンベアとから構成されることを特徴とする。
【００１２】
（第５発明）
第５発明の折り畳まれたフィルムの搬送装置は、農業用ハウスに使用される長尺の農業用フィルムの表と裏を交互に積層状にして折り畳まれたフィルムを搬送するものであり所定間隔を置いて一方の端部で支持され、他方の端部が開放されるように配置された複数の支持部材から構成されると共に、上下方向に移動できる移動機構を備えている支持台と、上記支持台の支持部材間に複数のローラーが互いに連結されて配置されていると共に、上記ローラーの上部に上記折り畳まれたフィルムを載置し、左右方向に移動できる移動機構を備えているローラーコンベアとから構成されることを特徴とする。
【００１３】
（第６発明）
第６発明の折り畳まれたフィルムの搬送装置における所定間隔を置いて一方の端部で支持され、他方の端部が開放されるように配置された複数の支持部材は、断面がＴ字または逆Ｔ字状であることを特徴とする。
【００１４】
【発明の実施の形態】
（第１発明）
第１発明の搬送方法は、たとえば、農業用ハウスを覆う農業用ポリ塩化ビニルフィルム、農業用ポリオレフィン系フィルムを折り畳み装置によって折り畳んだ状態のまま、たとえば、巻取装置等に搬送する搬送方法である。
折り畳み装置によって折り畳まれたフィルムは、所定間隔を置いて一方の端部で支持され、他方の端部が開放されるように配置された複数の支持部材から構成された支持台上に積層状態に折り畳まれる。積層状態に載置された折り畳まれたフィルムは、所定長さに切断されると、上記複数の支持部材間に配置された複数のローラからなるローラーコンベアの上部が上記支持部材の上に出るように持ち上げられる。
【００１５】
次に、第１のローラーコンベアは、折り畳まれたフィルムを積層状態に載置した状態で、水平方向に移動する。その後、折り畳まれたフィルムは、巻取装置等に搬送される。次に、上記第１のローラーコンベアは、降下した後、前記と反対方向に水平移動して、上記複数の支持部材から構成された支持台の間に再び組み込まれた状態に戻る。すなわち、第１のローラーコンベアは、折り畳まれたフィルムの短い幅方向に移動できるため、移動時間が少なく、折り畳み装置の動作を停止させる時間が少ない。また、第１のローラーコンベアは、水平方向に移動しても、複数の支持部材がそのままの状態で残されているため、フィルムを折り畳み装置により折り畳むことができる。
【００１６】
（第２発明）
第２発明の折り畳まれたフィルムの搬送方法は、農業用ハウスに使用される長尺の農業用フィルムの表と裏を交互に積層状にして折り畳む折り畳み機によって折り畳まれたフィルムを搬送するものである。上記折り畳み機によって折り畳まれたフィルムは、所定の間隔を置いて一方の端部で支持され、他方の端部が開放されるように配置されている支持部材から構成された支持台上に折り畳まれる。上記複数の支持部材間に配置された複数のローラーからなるローラーコンベアは、上記支持台の中に組み込まれるように配置されていると共に、水平方向に移動できる移動機構を備えている。
また、所定の間隔で配置されている支持部材から構成された支持台は、上下方向に移動できる移動機構を備えている。上記折り畳まれたフィルムは、支持台が降下することにより、ローラーコンベアで持ち上げ、その後、ローラーコンベアの水平方向に移動させる。その後、支持台を上昇させ、また、ローラーコンベアに載置された折り畳まれたフィルムが巻取装置に移送された後、ローラーコンベアは、上記と反対の水平方向に移動して、支持台の中に組み込んで元の状態に戻す。
支持台に上下方向の移動機構を、ローラーコンベアに水平方向の移動機構をそれぞれ設けることにより、折り畳み機は、稼働を殆ど停止することがなく運転できる。
【００１７】
（第３発明）
第３発明におけるローラーコンベアは、折り畳まれたフィルムを載置した状態で、水平方向に移動した後、固定された第２のローラーコンベアを介して、折り畳まれたフィルムを巻き取る巻取装置に搬送する。
上記固定された第２のローラーコンベアは、折り畳まれたフィルムを巻き取る巻取装置に連結することによって、折り畳みから巻き取りまでを連続して行うことが可能になる。上記ローラーコンベアおよび第２のローラーコンベアは、必要に応じて、駆動装置を取り付けて、ローラーを駆動することができる。
【００１８】
（第４発明）
第４発明の折り畳まれたフィルムの搬送装置は、農業用ハウスに使用される長尺の農業用フィルムの表と裏を交互に積層状にして折り畳む折り畳み機によって折り畳まれたフィルムを搬送するものである。支持台は、折り畳まれたフィルムが載置されるために、所定間隔を置いて一方の端部で支持され、他方の端部が開放されるように配置された複数の支持部材が所定の間隔で配置されている。また、支持台の支持部材間に複数のローラーが互いに連結されるように組み込まれるローラーコンベアは、上下および左右方向に移動できる移動機構を備えている。当該移動機構は、油圧、空気圧、あるいは電気機械等によって、ローラーコンベアを上下方向、および左右方向に移動させる。
【００１９】
（第５発明）
支持台は、折り畳まれたフィルムが載置されるため、所定の間隔を置いて一方の端部で支持され、他方の端部が開放されるように配置されている複数の支持部材から構成される。また、上記支持台は、上下方向に移動できる移動機構を備えており、上下することにより、折り畳まれたフィルムがローラーコンベアに載置、あるいは支持台に載置される。
上記ローラーコンベアは、上記支持台の支持部材間に複数のローラーが互いに連結されて配置されている。また、上記ローラーコンベアは、移動機構によって、左右方向に移動できる。上記支持台とローラーコンベアは、別々に移動機構を備えることにより、移動を単純化することができ、機構が簡単になる。
【００２０】
（第６発明）
上記複数の支持部材は、一方の端部で取付部に取り付けられ、他方の端部が開放されているため、ローラーコンベアにおけるローラー部分および軸受け部分が水平に移動できる構成となっている。上記支持部材、ローラー、および軸受け部分は、ローラーコンベアの上下および水平方向の移動に差し支えなければ、如何なる形状に変形することもできる。また、前記支持部材は、所定間隔を置いて一方の端部で支持され、他方の端部が開放されるように配置されており、その断面がＴ字または逆Ｔ字状になっている。
【００２１】
【実  施  例】
図１は本発明の一実施例で、農業用フィルムの折り畳み、搬送、および巻き付けの原理を説明するための概略上面図である。
図１において、農業用フィルム、たとえば、農業用ポリ塩化ビニルフィルム、農業用ポリオレフィン系フィルムは、所定の幅に溶着され、あるいは溶着されずにそのまま、自動折畳機１１によって、所定の幅に溶着された後、折り畳まれて複数のＴ字型支持部材１２１の上に積層状態に積まれる。支持台１２は、等間隔を置いて配置されていると共に、一端で取付部１２２に取り付けられているＴ字型支持部材１２１から構成されている。ローラーコンベア１３は、軸受部１３２および１３３によって回転自在に固定されていると共に、上記支持台１２の間に横方向からスライド状態で出入りできるように構成されている。
【００２２】
図１に示すローラーコンベア１３は、折り畳まれたフィルムを載置して支持台１２から横方向へスライドして、２点鎖線の位置に移動する。ローラーコンベア１３に載置されている折り畳まれたフィルムは、自動的または手動で次のローラーコンベア１５を介して、巻取装置１４の近傍に接近する。ローラーコンベア１３、１５は、必要応じてローラーを動力により駆動することができる。また、折り畳まれたフィルムは、巻取装置１４に案内するために案内ローラー３２が設けられている。巻取装置１４は、基台１４１と、可動台１４２と、レール１４３、１４３′と、案内板１４４、１４４′と、移動および回転・加圧機構１４５と、半割状巻取ローラー１４６と、加圧ローラー１４７と、加圧部１４８と、案内板固定部１４９（図３参照）とから構成されている。
【００２３】
図２（イ）ないし（ハ）は本発明の一実施例で、（イ）は折り畳み機から折り畳まれたフィルムが積層状態に折り畳まれて、支持台に載置されている状態を示す図、（ロ）はローラーコンベアが上昇して、ローラーコンベアによって折り畳まれたフィルムが支持されている状態を示す図、（ハ）はローラーコンベアの上下動およびスライド状態を説明するための図である。
図２（イ）において、図示されていない折り畳み機によって、折り畳まれたフィルム２１は、所定の間隔をおいて配置されたＴ字型支持部材１２１上に積層状に折り畳まれる。
【００２４】
ローラーコンベア１３は、フィルムが折り畳まれている間、支持台１２を構成するＴ字型支持部材１２１の間に組み込まれた状態になっている（図２（イ）参照）。また、上記ローラーコンベア１３は、上下方向およびスライド方向に移動できるようにローラーコンベアスライド機構１２４とローラーコンベア上下機構１２５を介して支持基台１２３に取り付けられている。ローラーコンベアスライド機構１２４は、図２（イ）および（ロ）おいて、符号の付けられていないレール上を紙面に対して前後方向にスライドできるようになっている。図示されていない折り畳み装置は、所定の長さに達した際に、フィルムを切断する。折り畳まれたフィルム２１を切断する信号は、ローラーコンベア上下機構１２５に伝達される。また、手動でスイッチを操作してもよい。
【００２５】
上記信号を受けたローラーコンベア上下機構１２５は、折り畳まれたフィルム２１が載置されているローラーコンベア１３を上方に持ち上げる。すなわち、折り畳まれたフィルム２１は、支持台１２に載置されていたものが、ローラーコンベア１３のローラー１３１上に載置されるようになる。その後、支持基台１２３に取り付けられているローラーコンベアスライド機構１２４は、ローラーコンベア１３を図１の右方向にスライドさせて、２点鎖線の位置に移動させる。
【００２６】
図２（ハ）から判るように、ローラーコンベア１３におけるローラー１３１は、支持台１２の内部に組み込まれている。この状態の時、図示されていない折り畳み機は、支持台１２上にフィルムを折り畳みながら載置する。この状態は、図２（ハ）の１３１−１である。次に、ローラーコンベア１３が上昇して、支持台１２上に載置されている折り畳まれたフィルム２１は、ローラーコンベア１３に乗り移る状態が１３１−２である。その後、ローラーコンベア１３は、折り畳まれたフィルム２１を載置した状態でスライドして１３１−３の状態になる。
【００２７】
ローラーコンベア１３に載置された、折り畳まれたフィルム２１が次のローラーコンベア１５に移動した後、ローラーコンベア１３は、下方に降下して１３１−４の状態になる。そして、ローラーコンベア１３は、元の位置１３１−１に戻る。図示されていない折り畳み機は、ローラーコンベア１３のローラー１３１が１３１−２、１３１−３、１３１−４、１３１−１のどの位置にある時も、折り畳みを続けることができる。
上記のようなローラーコンベア１３の一連の動作は、図示されていない公知のシークエンス制御により行うことができる。
【００２８】
図３は自動折畳機、搬送装置、巻取装置の原理を説明するための斜視図である。巻取装置１４は、基台１４１と、当該基台１４１上に設けられたレール１４３、１４３′によって移動が可能な可動台１４２と、折り畳まれたフィルム２１を巻回する際に案内および半割状巻取ローラー１４６を抜く際のストッパーとなる案内板１４４、１４４′と、上記可動台１４２に設けられた移動および回転・加圧機構１４５と、折り畳まれたフィルム２１の端部を噛み込むための半割状巻取ローラー１４６と、折り畳まれたフィルム２１の内部にある空気を抜く加圧ローラー１４７と、当該加圧ローラー１４７が折り畳まれたフィルム２１を介して半割状巻取ローラー１４６に押し付けるように加圧する加圧部１４８と、上記案内板１４４、１４４′を基台１４１に固定する案内板固定部１４９とから構成されている。
【００２９】
半割状巻取ローラー１４６は、移動および回転・加圧機構１４５に接続されて回転すると共に、可動台１４２の移動によって、二つ割りにされた案内板１４４、１４４′の開口部から水平方向に移動する。加圧ローラー１４７は、折り畳まれたフィルム２１の巻き厚によって上方に移動できるように構成されている。
また、半割状巻取ローラー１４６および案内板１４４′は、折り畳まれたフィルム２１の巻き厚によって上下方向に移動できるように構成することができる。
【００３０】
ローラーコンベア１３と巻取装置１４との間に、ローラーコンベア１５があり、当該ローラーコンベア１３に積み代えられた、折り畳まれたフィルム２１の端部は、半割状巻取ローラー１４６に噛み込まれるように搬送される。折り畳まれたフィルム２１は、ローラーコンベア１５によって搬送され、その端部が半割状巻取ローラー１４６に噛み込み易くするために案内ローラー３２が図示されていない支持機構によって支持されている。
【００３１】
図４は本発明の一実施例で、支持台とローラーコンベアとの関係を説明するための斜視図である。
図４において、支持台１２は、等間隔に配置された断面Ｔ字型支持部材１２１から構成されており、支持部材１２１の一方の端面が取付部１２２によって支持されている。また、ローラーコンベア１３の各ローラー１３１は、略台形状の軸受部１３２、１３３に軸１３４が回転自在に支持されている。上記支持台１２は、図示されていない位置によって、支持基台１２３に取り付けられている。
【００３２】
ローラーコンベアスライド機構１２４は、図２に示すように、支持基台１２３に取り付けられていると共に、ローラーコンベア上下機構１２５を左右方向にスライド自在に設けられている。上記ローラーコンベア上下機構１２５は、可動部分がローラーコンベア１３に取り付けられている。
上記構成において、ローラーコンベア上下機構１２５は、折り畳まれたフィルム２１を所定の長さに切断したことを検知する信号によって、ローラーコンベア１３を上昇させる。ローラーコンベア１３の上昇により、折り畳まれたフィルム２１は、支持台１２に載置されていたものがローラーコンベア１３に乗り移る。
【００３３】
次に、ローラーコンベアスライド機構１２４は、動作することにより、ローラーコンベア１３が右方向にスライドして、図１に示す２点鎖線の位置に移動する。ローラーコンベア１３に載置された折り畳まれたフィルム２１は、図示されていない機構によって、次のローラーコンベア１５に移送される。空になったローラーコンベア１３は、ローラーコンベア上下機構１２５の動作により下方に移動する。その後、ローラーコンベア１３は、ローラーコンベアスライド機構１２４の動作により左方向に移動して、支持台１２の間の元の位置に組み込まれる。
【００３４】
第二実施例は、支持台１２と、ローラーコンベア１３とを別々に移動させることができる。たとえば、支持台１２は、図示されていない移動機構によって、上下に移動させる。支持台１２上に載置された折り畳まれたフィルムは、支持台１２が降下することによって、ローラーコンベア１３上に載置される。
ローラーコンベア１３は、図示されていない上記と別の移動機構によって、左右方向に移動させる。支持台１２が降下した後、ローラーコンベア１３に載置された折り畳まれたフィルムは、移動機構によって、図１における２点鎖線の位置に移動する。その後、支持台を上昇させ、また、ローラーコンベア１３に載置された折り畳まれたフィルムは、巻取装置に搬送された後、ローラーコンベア１３が右方向に移動し、支持台の中に組み込んで最初の状態に戻る。
【００３５】
以上、本実施例を詳述したが、本発明は、前記実施例に限定されるものではない。そして、特許請求の範囲に記載された本発明を逸脱することがなければ、種々の設計変更を行なうことが可能である。
たとえば、支持台および軸受部の形状は、ローラーコンベアが上下左右方向の動きが可能であれば、実施例に限定されるものではない。また、ローラーコンベアスライド機構およびローラーコンベア上下機構は、周知および公知のいかなる機構も使用することができる。
【００３６】
【発明の効果】
本発明によれば、ローラーコンベアが上下左右方向に移動する間に、所定間隔を置いて一方の端部で支持され、他方の端部が開放されるように配置された複数の支持部材から構成される支持台が折り畳まれたフィルムを常に載置できるようになっているため、折り畳み装置を殆ど休めることなく運転できる。
本発明によれば、上記支持部材の間に複数のローラーが互いに連結されて配置されたローラーコンベアを組み込んだため、ローラーコンベアの上下左右方向の移動に無理がなく、コンパクトな搬送装置となった。
本発明によれば、折り畳まれたフィルムを休むことなく間欠的に巻取装置等に搬送することができるため、省力化ができると共に、効率の良い農業用ハウスに使用する折り畳まれたフィルムを作製することができる。
【図面の簡単な説明】
【図１】本発明の一実施例で、農業用フィルムの折り畳み、搬送、および巻き付けの原理を説明するための概略上面図である。
【図２】（イ）ないし（ハ）は本発明の一実施例で、（イ）は折り畳み機から折り畳まれたフィルムが積層状態に折り畳まれて、支持台に載置されている状態を示す図、（ロ）はローラーコンベアが上に移動して、ローラーコンベアによって折り畳まれたフィルムが支持されている状態を示す図、（ハ）はローラーコンベアの上下動およびスライド状態を説明するための図である。
【図３】自動折畳機、搬送装置、巻取装置の原理を説明するための斜視図である。
【図４】本発明の一実施例で、支持台とローラーコンベアとの関係を説明するための斜視図である。
【図５】農業用ハウスの外形を説明するための概略図である。
【符号の説明】
１１・・・自動折畳機
１２・・・支持台
１２１・・Ｔ字型支持部材
１２２・・取付部
１２３・・支持基台
１２４・・ローラーコンベアスライド機構
１２５・・ローラーコンベア上下機構
１３・・・ローラーコンベア
１３１・・ローラー
１３２、１３３・・・軸受部
１３４・・・軸
１４・・・巻取装置
１４１・・基台
１４２・・可動台
１４３、１４３′・・・レール
１４４、１４４′・・・案内板
１４５・・移動および回転・加圧機構
１４６・・半割状巻取ローラー
１４７・・加圧ローラー
１４８・・加圧部
１４９・・案内板固定部
１５・・・ローラーコンベア
２１・・・折り畳まれたフィルム
３２・・・案内ローラー
３３・・・継ぎ目
【図１】
0003856523.tif 000002
【図２】
0003856523.tif 000003
【図３】
0003856523.tif 000004
【図４】
0003856523.tif 000005
【図５】
0003856523.tif 000006